(57)【要約】【課題】伸長方向に対して全周方向に光を照射することが可能であると共に、十分な放熱が可能であり、装置の大幅な温度上昇を防ぐことのできるＬＥＤ照明装置を提供する。【解決手段】ＬＥＤ照明装置は、光透過性又は光拡散性の細長いハウジングと、このハウジング内に設けられ、ハウジングの伸長方向に沿って互いに同軸状に配設された複数のディスクリート型ＬＥＤランプと、ハウジング内に設けられ、複数のディスクリート型ＬＥＤランプが並列に接続されており、ハウジングの伸長方向に沿って伸長する複数の単線ワイヤ線とを備えている。【選択図】図１
2012018767.tif 000002
【特許請求の範囲】
【請求項１】
光透過性又は光拡散性の細長いハウジングと、該ハウジング内に設けられ、該ハウジングの伸長方向に沿って互いに同軸状に配設された複数のディスクリート型ＬＥＤランプと、前記ハウジング内に設けられ、該複数のディスクリート型ＬＥＤランプが並列に接続されており、前記ハウジングの伸長方向に沿って伸長する複数の単線ワイヤ線とを備えていることを特徴とするＬＥＤ照明装置。
【請求項２】
前記ハウジングが可撓性を有する材料で構成されており、前記複数の単線ワイヤ線が湾曲可能な弾性を有する材料で構成されていることを特徴とする請求項１に記載のＬＥＤ照明装置。
【請求項３】
前記複数のディスクリート型ＬＥＤランプの各々の頂部又は該頂部とは反対側の基部が軸方向に対して遮光されていることを特徴とする請求項１又は２に記載のＬＥＤ照明装置。
【請求項４】
前記複数のディスクリート型ＬＥＤランプの各々の頂部と、該頂部とは反対側の基部とが軸方向に対して遮光されていることを特徴とする請求項１又は２に記載のＬＥＤ照明装置。
【請求項５】
前記複数のディスクリート型ＬＥＤランプにおける頂部が、前記ハウジングの軸方向の同一方向に向いて配設されていることを特徴とする請求項１から４のいずれか１項に記載のＬＥＤ照明装置。
【請求項６】
前記複数のディスクリート型ＬＥＤランプにおける頂部が、前記ハウジングの軸方向の互いに対向する方向に向いて配設されていることを特徴とする請求項１から４のいずれか１項に記載のＬＥＤ照明装置。
【請求項７】
前記複数のディスクリート型ＬＥＤランプの各々が、砲弾型ＬＥＤランプであることを特徴とする請求項１から６のいずれか１項に記載のＬＥＤ照明装置。
【請求項８】
前記複数のディスクリート型ＬＥＤランプの各々が単一色のＬＥＤ素子を備えたＬＥＤランプであり、前記複数の単線ワイヤ線が該ＬＥＤ素子に接続された２本の単線ワイヤ線であることを特徴とする請求項１から７のいずれか１項に記載のＬＥＤ照明装置。
【請求項９】
前記複数のディスクリート型ＬＥＤランプの各々が互いに異なる色の光を発生する複数のＬＥＤ素子を備えたＬＥＤランプであり、前記複数の単線ワイヤ線が該複数のＬＥＤ素子に接続された３本以上の単線ワイヤ線であることを特徴とする請求項１から７のいずれか１項に記載のＬＥＤ照明装置。
【請求項１０】
前記複数の単線ワイヤ線が絶縁材料によって被覆されていることを特徴とする請求項１から９のいずれか１項に記載のＬＥＤ照明装置。
【発明の詳細な説明】
【技術分野】
【０００１】
本発明は、発光ダイオード（ＬＥＤ）素子を光源として用いたＬＥＤ照明装置に関し、特に複数のＬＥＤランプが列状に配設されたＬＥＤ照明装置に関する。
【背景技術】
【０００２】
近年、ＬＥＤ素子及びＬＥＤランプは、発光効率が高いこと、寿命が長いこと等から、照明装置等の光源に広く使用されている。この種の照明装置として、チューブやパイプ内に複数のＬＥＤ素子を一列に配設したＬＥＤ照明装置が存在する。
【０００３】
例えば、特許文献１には、基板上に複数のＬＥＤ素子を面実装したものを透光性チューブ内に設けたＬＥＤ照明器具が開示されている。
【０００４】
また、例えば、特許文献２には、バックライトチューブ内に収納され、ＬＥＤ素子を実装した複数のＬＥＤ基板をリード線で接続して構成されるＬＥＤモジュールと、このＬＥＤモジュールをバックライトチューブに挿入する際の案内となる挿入ガイドとを備えたＬＥＤ照明器具が開示されている。
【先行技術文献】
【特許文献】
【０００５】
【特許文献１】特開２００２−１９７９０１号公報
【特許文献２】特開２００８−２１８１６０号公報
【発明の概要】
【発明が解決しようとする課題】
【０００６】
しかしながら、特許文献１や特許文献２に開示されているごとき技術によると、ＬＥＤ素子を基板に面実装していることから、基板の上方のみが照射可能であり、チューブやパイプの伸長方向に関する周囲全体（３６０度）に渡って光を照射することができない。さらに、これら従来のＬＥＤ照明装置は、放熱対策が十分ではなく、装置全体が高温となって取扱いが難しくなるのみならず、ＬＥＤ素子の発光効率が低下し、寿命が短縮化するなどの問題を有していた。
【０００７】
従って本発明の目的は、伸長方向に対して全周の方向に光を照射することが可能なＬＥＤ照明装置を提供することにある。
【０００８】
本発明の他の目的は、十分な放熱が可能であり、装置の大幅な温度上昇を防ぐことのできるＬＥＤ照明装置を提供することにある。
【課題を解決するための手段】
【０００９】
本発明によれば、光透過性又は光拡散性の細長いハウジングと、このハウジング内に設けられ、ハウジングの伸長方向に沿って互いに同軸状に配設された複数のディスクリート型ＬＥＤランプと、ハウジング内に設けられ、複数のディスクリート型ＬＥＤランプが並列に接続されており、ハウジングの伸長方向に沿って伸長する複数の単線ワイヤ線とを備えているＬＥＤ照明装置が提供される。
【００１０】
光透過性又は光拡散性の例えばチューブやパイプ等の細長いハウジング内に、複数のディスクリート型ＬＥＤランプが互いに同軸状に配列されると共にこれに沿って複数の単線ワイヤ線が設けられ、複数のディスクリート型ＬＥＤランプはこれら単線ワイヤ線に機械的及び電気的に並列接続されている。これにより、ディスクリート型ＬＥＤランプからハウジングの伸長方向の回りの全周方向（３６０度方向）に光が放射される。また、ディスクリート型ＬＥＤランプの発する熱は、これに機械的及び電気的に接続された複数の単線ワイヤ線に熱伝導して効率良く放熱されるため、ハウジングの径又は幅が小さい場合にも、十分な放熱が可能となりＬＥＤ照明装置の大幅な温度上昇を防ぐことができる。
【００１１】
ハウジングが可撓性を有する材料で構成されており、複数の単線ワイヤ線が湾曲可能な弾性を有する材料で構成されていることが好ましい。
【００１２】
複数のディスクリート型ＬＥＤランプの各々の頂部又はこの頂部とは反対側の基部が軸方向に対して遮光されていることも好ましい。これにより、周方向へ放射される光の量が大幅に増大し、周方向への配光特性が良好となる。
【００１３】
複数のディスクリート型ＬＥＤランプの各々の頂部と、この頂部とは反対側の基部とが軸方向に対して遮光されていることも好ましい。これにより、ほとんどの光が周方向へ放射されることとなり、周方向への配光特性がさらに良好となる。
【００１４】
複数のディスクリート型ＬＥＤランプにおける頂部が、ハウジングの軸方向の同一方向に向いて配設されていること、又はハウジングの軸方向の互いに対向する方向に向いて配設されていることも好ましい。
【００１５】
複数のディスクリート型ＬＥＤランプの各々が、砲弾型ＬＥＤランプであることも好ましい。
【００１６】
複数のディスクリート型ＬＥＤランプの各々が単一色のＬＥＤ素子を備えたＬＥＤランプであり、複数の単線ワイヤ線がＬＥＤ素子に接続された２本の単線ワイヤ線であることも好ましい。
【００１７】
複数のディスクリート型ＬＥＤランプの各々が互いに異なる色の光を発生する複数のＬＥＤ素子を備えたＬＥＤランプであり、複数の単線ワイヤ線が複数のＬＥＤ素子に接続された３本以上の単線ワイヤ線であることも好ましい。
【００１８】
複数の単線ワイヤ線が絶縁材料によって被覆されていることも好ましい。
【発明の効果】
【００１９】
本発明によれば、ハウジングの伸長方向の回りの全周方向に光が放射されることとなる。また、ディスクリート型ＬＥＤランプの発する熱は、これに機械的及び電気的に接続された複数の単線ワイヤ線に熱伝導して効率良く放熱されるため、ハウジングの径又は幅が小さい場合にも、十分な放熱が可能となりＬＥＤ照明装置の大幅な温度上昇を防ぐことができる。
【図面の簡単な説明】
【００２０】
【図１】本発明のＬＥＤ照明装置の第１の実施形態の構造を概略的に表わす断面図である。
【図２】第１の実施形態において用いられるＬＥＤランプの外観を表わす斜視図である。
【図３】第１の実施形態におけるＬＥＤ照明装置の一使用形態を説明するために、このＬＥＤ照明装置の一部を示す側面図である。
【図４】第１の実施形態におけるＬＥＤ照明装置の他の使用形態を説明するために、このＬＥＤ照明装置の全体を示す側面図である。
【図５】本発明のＬＥＤ照明装置の第２の実施形態の構造を概略的に表わす断面図である。
【図６】第２の実施形態におけるＬＥＤ照明装置の一使用形態を説明するために、このＬＥＤ照明装置の全体を示す側面図である。
【図７】本発明のＬＥＤ照明装置の第３の実施形態の構造を概略的に表わす断面図である。
【図８】本発明のＬＥＤ照明装置の第４の実施形態の構造を概略的に表わす断面図である。
【図９】本発明のＬＥＤ照明装置の第５の実施形態の構造を概略的に表わす断面図である。
【図１０】第５の実施形態において用いられるＬＥＤランプの外観を表わす斜視図である。
【図１１】本発明のＬＥＤ照明装置の第６の実施形態の構造を概略的に表わす断面図である。
【図１２】第６の実施形態において用いられるＬＥＤランプの外観を表わす斜視図である。
【図１３】本発明のＬＥＤ照明装置の第７の実施形態の構造を概略的に表わす断面図である。
【図１４】第７の実施形態における配線コードの外部への引き出し構造を表わす断面図である。
【図１５】本発明のＬＥＤ照明装置の第８の実施形態の構造を概略的に表わす断面図である。
【図１６】第８の実施形態における配線コードの外部への引き出し構造を表わす断面図である。
【図１７】本発明のＬＥＤ照明装置の第９の実施形態の構造を概略的に表わす、（Ａ）平面図、及び（Ｂ）側面図である。
【発明を実施するための形態】
【００２１】
以下、本発明のＬＥＤ照明装置の種々の実施形態について、添付図面を参照して説明する。
【００２２】
図１は本発明のＬＥＤ照明装置の第１の実施形態の構造を概略的に表わしており、図２はこの第１の実施形態において用いられるＬＥＤランプの外観を表わしており、図３及び図４は第１の実施形態におけるＬＥＤ照明装置の２つの使用形態を説明している。
【００２３】
図１に示すように、本実施形態におけるＬＥＤ照明装置は、光透過性又は光拡散性の細長いハウジング１０と、このハウジング１０内に設けられた複数のディスクリート型ＬＥＤランプ１１と、ハウジング１０内に設けられており、これら複数のディスクリート型ＬＥＤランプ１１が互いに並列に電気的及び機械的に接続された２本の単線ワイヤ線１２とを備えている。
【００２４】
ハウジング１０は、本実施形態においては、光を透過又は拡散する透明又は半透明の可撓性の樹脂製チューブや樹脂製パイプ等から構成されている。これらチューブやパイプは、着色されていても無着色であっても良い。なお、図１においては、ハウジング１０は、連続する平坦な内周面及び外周面を有するように示されているが、内周面及び／又は外周面が、凹形状、凸形状、凹凸形状、波型形状、プリズム形状、又はその他の種々の立体形状を有していても良い。また、ハウジング１０の外形全体が、蛇腹形状又は波型形状であっても良い。さらに、ハウジング１０の軸断面形状は、円形、長円形、楕円形、三角形、四角形、その他の多角形、又は星型形状等の他の種々の形状であっても良い。
【００２５】
本実施形態における各ディスクリート型ＬＥＤランプ１１は、単一色のＬＥＤランプであり、図２に示すように、砲弾型（足付型）ＬＥＤランプの頂部を部分的に除去（カット）し、その頂部の残った部分に例えば遮光塗料を塗布して形成された遮光膜１１ａを有している。これにより、頂部方向が遮光されている。また、ＬＥＤランプ１１の基部から、２本のリード線１１ｂが伸長している。砲弾型ＬＥＤランプの頂部を部分的に除去することなく、そのままの形状としてその頂部に遮光膜を形成しても良いことはもちろんである。なお、砲弾型ＬＥＤランプの頂部を部分的に除去（カット）するのみで、遮光膜を形成しない場合にも、多少の遮光効果を得ることが可能である。遮光塗料としては、一般的な白色塗料を用いても良いが、高効率反射塗料、例えばライトオール等を用いることが反射特性を高める点からも望ましい。遮光塗料に代えて、蓄光塗料を用いれば、ＬＥＤランプ１１をオフとした際にも蓄光による照明効果や非常灯効果を得ることが可能となる。
【００２６】
各単線ワイヤ線１２は、弾性を有する炭素鋼線、いわゆるピアノ線の表面に錫メッキを施した単線のワイヤであり、弾性を有し、許容応力が高く疲労に強い特性を有すると共に良好な導電性を有している。図１に示すように、互いに平行に配置した２本の単線ワイヤ線１２にＬＥＤランプ１１のＬ字状に曲げた２本のリード線１１ｂをそれぞれ半田付けし、これによって、複数のＬＥＤランプ１１が、２本の単線ワイヤ線１２間に、互いに並列に電気的及び機械的に接続されている。本実施形態においては、これらＬＥＤランプ１１は、それらの頂部がハウジング１０の軸方向の同一方向（図１において左方向）に向くように一列配置されている。なお、ＬＥＤランプ１１の２本のリード線１１ｂは、リード線１１ｂ間並びにリード線１１ｂ及び単線ワイヤ線１２間における短絡防止のために、絶縁チューブ１１ｃで被覆しておくことが望ましい。
【００２７】
図１からも分かるように、ワイヤ間に複数のＬＥＤランプ１１を並列に接続し支持している２本の単線ワイヤ線１２は、ハウジング１０内にそのハウジングの伸長方向に沿って伸長し、ハウジング１０の内周面に当接して支持されるように配置されている。これにより、複数のＬＥＤランプ１１は、ハウジング１０の伸長方向に沿って互いに同軸状に配設される。
【００２８】
ハウジング１０の両端には、これら単線ワイヤ線１２を受け止めてその振動を吸収すると共に固定する振動吸収及び固定部材１３と、端部封止用のエンドキャップ１４とがそれぞれ配置されている。両端のエンドキャップ１４によって、ハウジング１０の内部を密閉することができる。振動吸収及び固定部材１３は例えば発泡ウレタン等から形成しても良いが、単線ワイヤ線１２の振動吸収及び固定が可能であり、かつこの単線ワイヤ線１２を伝わってくる熱を効率的に伝導可能材料を用いることがより望ましい。エンドキャップ１４は例えばエポキシ樹脂等の樹脂材料で形成されている。
【００２９】
２本の単線ワイヤ線１２には配線コード１５がそれぞれ半田付けで接続されており、この配線コード１５は一方の端部の振動吸収及び固定部材１３及びエンドキャップ１４を密閉的に通り、その端部から軸方向の外部へ引き出されている。
【００３０】
ハウジング１０が可撓性を有しており、２本の単線ワイヤ線１２も弾性を有していて湾曲可能であるため、本実施形態のＬＥＤ照明装置は、図３及び図４に示すように、特に、２本の単線ワイヤ線１２を含む平面と交差する方向に自在に湾曲することが可能であり、半円形状、波型形状又はその他の種々の湾曲形状とすることが可能である。
【００３１】
本実施形態のＬＥＤ照明装置によれば、複数のディスクリート型ＬＥＤランプ１１が、光を透過又は拡散する可撓性のチューブやパイプ等によるハウジング１０内にその伸長方向に沿って互いに同軸状に一列に配設されているため、ハウジング１０の軸方向の回りの全周方向（３６０度方向）に光が放射される。しかも、各ディスクリート型ＬＥＤランプ１１が、頂部方向に遮光されているため、その方向に多量に放射される光のほとんどが全周方向（３６０度方向）に放射され、全周方向へより多くの光が効率良く放射されることとなる。ハウジング１０の内部が空間となっているため、その部分で減光される可能性は低い。また、各ＬＥＤランプ１１から発せられる熱は、そのリード線１１ｂを介し、さらに、２本の単線ワイヤ線１２を介して熱伝導することにより、振動吸収及び固定部材１３及びエンドキャップ１４を伝わって両端部から外部へ効率良く放熱されると共に、ハウジング１０を伝わって外部へ効率良く放熱される。もちろん、その一部は、ハウジング１０の内部の空間を介してハウジング１０に直接的に伝わり外部へ放熱される。その結果、ハウジング１０の径が小さい場合にも、十分な放熱が可能となりＬＥＤ照明装置の大幅な温度上昇を防ぐことができる。ハウジング１０、振動吸収及び固定部材１３及び／又はエンドキャップ１４に放熱構造を付加的に設けても良いことはもちろんである。
【００３２】
ハウジング１０内に設けられるＬＥＤランプ１１のワット数及びその個数、さらにＬＥＤランプ１１のハウジング１０の軸方向における間隔等は、本ＬＥＤ照明装置に要求される配光や照度、さらに、２本の単線ワイヤ線１２やハウジン１０の放熱能力によって定められる。
【００３３】
図５は本発明のＬＥＤ照明装置の第２の実施形態の構造を概略的に表わしており、図６は第２の実施形態におけるＬＥＤ照明装置の一使用形態を説明している。
【００３４】
図５から明らかのように、本実施形態では、２本の単線ワイヤ線１２に半田付け接続された配線コード５５がハウジング５０の一方の端部に設けられた振動吸収及び固定部材５３を密閉的に通り、ハウジング５０のその端部の周方向に設けられたコード穴に嵌装されたゴム又は樹脂接着剤によるブシュ５６を通って外部へ引き出されている。従って、配線コード５５はエンドキャップ５４を通らず側面から外部へ引き出されている。なお、図５においては、配線コード５５が２本の単線ワイヤ線１２を含む平面内方向（図にて下方向）に引き出されているが、２本の単線ワイヤ線１２を含む平面と交差する方向（図にて紙面から離れる方向又は奥へ行く方向）に引き出すように構成しても良い。
【００３５】
配線コード５５の引き出し方向を除いてこの第２の実施形態のＬＥＤ照明装置の構成は、第１の実施形態のＬＥＤ照明装置の場合と全く同様である。従って、図５及び図６では、図１と同様の構成要素に対して同一の参照符号を用いている。
【００３６】
配線コード５５をハウジング５０の側面から引き出すことにより、本実施形態のＬＥＤ照明装置は、図６に示すように、円形形状やその他の閉鎖ループ形状とすることが可能である。
【００３７】
第２の実施形態におけるその他の構成及び作用効果は、第１の実施形態の場合とほぼ同様である。
【００３８】
図７は本発明のＬＥＤ照明装置の第３の実施形態の構造を概略的に表わしている。
【００３９】
図７から明らかのように、本実施形態では、２本の単線ワイヤ線１２並びに２本の単線ワイヤ線１２及びリード線１１ａの接続部が絶縁材料による絶縁チューブ７７によって被覆されている。
【００４０】
ワイヤ線１２等が被覆されていることを除いてこの第３の実施形態のＬＥＤ照明装置の構成は、第１の実施形態のＬＥＤ照明装置の場合と全く同様である。従って、図７では、図１と同様の構成要素に対して同一の参照符号を用いている。
【００４１】
２本の単線ワイヤ線１２と、２本の単線ワイヤ線１２及びリード線１１ｂの接続部とが絶縁チューブ７７によって被覆されているため、本実施形態のＬＥＤ照明装置は、全体がねじれて湾曲された場合にも、２本の単線ワイヤ線１２間で及び／又は単線ワイヤ線１２とリード線１１ｂとの間で短絡が発生することを確実に防止できる。その結果、２本の単線ワイヤ線１２を含む平面と交差する方向のみならず、ねじれたあらゆる方向の湾曲形状にも適応可能となる。
【００４２】
第３の実施形態におけるその他の構成及び作用効果は、第１の実施形態の場合とほぼ同様である。
【００４３】
図８は本発明のＬＥＤ照明装置の第４の実施形態の構造を概略的に表わしている。
【００４４】
図８から明らかのように、本実施形態では、ハウジング１０内に複数のＬＥＤランプ１１及び複数のＬＥＤランプ８１が一列配置されており、一部のＬＥＤランプ１１はそれらの頂部がハウジング１０の軸方向の一方向（図８において左方向）に向くように、ハウジング１０内の残りのＬＥＤランプ８１はそれらの頂部がハウジング１０の軸方向の対向する方向（図８において右方向）に向くように配列されている。ＬＥＤランプ１１とＬＥＤランプ８１との頂部の方向が互いに対向する方向であることを除いてこの第４の実施形態のＬＥＤ照明装置の構成は、第１の実施形態のＬＥＤ照明装置の場合と全く同様である。従って、図８では、図１と同様の構成要素に対して同一の参照符号を用いている。
【００４５】
このように、一部のＬＥＤランプ１１と残りのＬＥＤランプ８１とが互いに対向する方向に向くように配列されているため、本実施形態のＬＥＤ照明装置によれば、均一化した光の照射が可能となる。なお、図８に示した例では、頂部が左方向を向いたＬＥＤランプ１１の一群と、頂部が右方向を向いたＬＥＤランプ８１の一群とをハウジング１０の左右の領域に分けてそれぞれ配置しているが、１つのＬＥＤランプ１１と１つのＬＥＤランプ８１とを交互に配置するように構成しても良く、複数（例えば２つ）のＬＥＤランプ１１と複数（例えば２つ）のＬＥＤランプ８１とを交互に配置するように構成しても良いことはもちろんである。
【００４６】
第４の実施形態におけるその他の構成及び作用効果は、第１の実施形態の場合とほぼ同様である。
【００４７】
図９は本発明のＬＥＤ照明装置の第５の実施形態の構造を概略的に表わしており、図１０はこの第５の実施形態において用いられるＬＥＤランプの外観を表わしている。
【００４８】
これらの図から明らかのように、本実施形態における各ディスクリート型ＬＥＤランプ９１は、砲弾型（足付型）ＬＥＤランプの頂部を部分的に除去（カット）し、その頂部の残った部分に例えば白色塗料を塗布して形成された遮光膜９１ａを有すると共に、ＬＥＤランプ９１の基部の鍔部に例えば白色塗料を塗布して形成された遮光膜９１ｄを有している。これにより、頂部方向及び基部方向の両方向が遮光されている。また、ＬＥＤランプ９１の基部から、２本のリード線９１ｂが伸長している。砲弾型ＬＥＤランプの頂部を部分的に除去することなく、そのままの形状としてその頂部に遮光膜を形成しても良いことはもちろんである。なお、砲弾型ＬＥＤランプの頂部を部分的に除去（カット）するのみで、遮光膜を形成しない場合にも、前方への多少の遮光効果を得ることが可能である。ＬＥＤランプ９１の基部方向も遮光されていることを除いてこの第５の実施形態のＬＥＤ照明装置の構成は、第１の実施形態のＬＥＤ照明装置の場合と全く同様である。従って、図９及び図１０では、図１と同様の構成要素に対して同一の参照符号を用いている。
【００４９】
このように、各ディスクリート型ＬＥＤランプ９１が、頂部方向及び基部方向の両方向で遮光されているため、その方向に多量に放射される光のほとんどが全周方向（３６０度方向）に放射され、全周方向へ非常に多くの光が効率良く放射されることとなる。
【００５０】
第５の実施形態におけるその他の構成及び作用効果は、第１の実施形態の場合とほぼ同様である。
【００５１】
図１１は本発明のＬＥＤ照明装置の第６の実施形態の構造を概略的に表わしており、図１２はこの第６の実施形態において用いられるＬＥＤランプの外観を表わしている。
【００５２】
これらの図から明らかのように、本実施形態における各ディスクリート型ＬＥＤランプ１１１は、砲弾型ＬＥＤランプを遮光させることなくそのまま使用している。また、ＬＥＤランプ１１１の基部から、２本のリード線１１１ｂが伸長している。砲弾型ＬＥＤランプの頂部を部分的に除去することなく、そのままの形状としており、遮光もしていないことを除いてこの第６の実施形態のＬＥＤ照明装置の構成は、第１の実施形態のＬＥＤ照明装置の場合と全く同様である。従って、図１１及び図１２では、図１と同様の構成要素に対して同一の参照符号を用いている。
【００５３】
このように、各ディスクリート型ＬＥＤランプ１１１から光がその前方、後方及び全周方向（３６０度方向）に放射されることとなる。
【００５４】
第６の実施形態におけるその他の構成及び作用効果は、第１の実施形態の場合とほぼ同様である。
【００５５】
図１３は本発明のＬＥＤ照明装置の第７の実施形態の構造を概略的に表わしており、図１４は第７の実施形態における配線コードの外部への引き出し構造を表わしている。
【００５６】
本実施形態のＬＥＤ照明装置において、各ディスクリート型ＬＥＤランプ１３１が互いに異なる３色の光を発生する３つのＬＥＤ素子を備えており、また、図１３から明らかのように、各ＬＥＤランプ１３１に接続された４本の単線ワイヤ線１３２ａ〜１３２ｄを備えている。各ＬＥＤランプ１３１が、砲弾型（足付型）ＬＥＤランプの頂部を部分的に除去（カット）し、その頂部の残った部分に例えば白色塗料を塗布して形成された遮光膜を有しており、これにより、頂部方向が遮光されていることは、第１の実施形態の場合と同様である。
【００５７】
単線ワイヤ線１３２ａ〜１３２ｄの各々は、弾性を有する炭素鋼線、いわゆるピアノ線の表面に錫メッキを施した単線のワイヤであり、弾性を有し、許容応力が高く疲労に強い特性を有すると共に良好な導電性を有している。図１３に示すように、互いに平行に配置した４本の単線ワイヤ線１３２ａ〜１３２ｄにＬＥＤランプ１３１のＬ字状に曲げた４本のリード線をそれぞれ半田付けし、これによって、複数のＬＥＤランプ１３１が、４本の単線ワイヤ線１３２ａ〜１３２ｄ間に、互いに並列に電気的及び機械的に接続されている。本実施形態においては、これらＬＥＤランプ１３１は、それらの頂部がハウジング１０の軸方向の同一方向（図１３において左方向）に向くように一列配置されている。なお、ＬＥＤランプ１３１の４本のリード線は、リード線間並びにリード線及び単線ワイヤ線１３２ａ〜１３２ｄ間における短絡防止のために、絶縁チューブで被覆しておくことが望ましい。
【００５８】
図１３及び図１４からも分かるように、ワイヤ間に複数のＬＥＤランプ１３１を並列に接続し支持している４本の単線ワイヤ線１３２ａ〜１３２ｄは、ハウジング１０内にそのハウジングの伸長方向に沿って伸長し、ハウジング１０の内周面に当接して支持されるように配置されている。これにより、複数のＬＥＤランプ１３１は、ハウジング１０の伸長方向に沿って同軸状に配設される。ここで、単線ワイヤ線１３２ａはＬＥＤランプ１３１のアノードに接続されるリード線に、単線ワイヤ線１３２ｂはＬＥＤランプ１３１の青色ＬＥＤ素子に接続されるリード線に、単線ワイヤ線１３２ｃはＬＥＤランプ１３１の緑色ＬＥＤ素子に接続されるリード線に、単線ワイヤ線１３２ｄはＬＥＤランプ１３１の赤色ＬＥＤ素子に接続されるリード線にそれぞれ接続されている。
【００５９】
ハウジング１０の両端には、これら単線ワイヤ線１３２ａ〜１３２ｄを受け止めてその振動を吸収すると共に固定する振動吸収及び固定部材１３３と、端部封止用のエンドキャップ１３４とがそれぞれ配置されている。両端のエンドキャップ１３４によって、ハウジング１０の内部を密閉することができる。振動吸収及び固定部材１３３は例えば発泡ウレタン等から形成しても良いが、単線ワイヤ線１３２ａ〜１３２ｄの振動吸収及び固定が可能であり、かつこの単線ワイヤ線１３２ａ〜１３２ｄを伝わってくる熱を効率的に伝導可能材料を用いることがより望ましい。エンドキャップ１３４は例えばエポキシ樹脂等の樹脂材料で形成されている。
【００６０】
４本の単線ワイヤ線１３２ａ〜１３２ｄには４本の配線コード１３５がそれぞれ半田付けで接続されており、この配線コード１３５は一方の端部の振動吸収及び固定部材１３３及びエンドキャップ１３４を密閉的に通り、その端部から軸方向の外部へ引き出されている。
【００６１】
ハウジング１０が可撓性を有しており、４本の単線ワイヤ線１３２ａ〜１３２ｄも弾性を有していて湾曲可能であるため、本実施形態のＬＥＤ照明装置は、自在に湾曲することが可能であり、半円形状、波型形状又はその他の種々の湾曲形状とすることが可能である。
【００６２】
本実施形態のＬＥＤ照明装置によれば、複数のディスクリート型ＬＥＤランプ１３１が、光を透過又は拡散する可撓性のチューブやパイプ等によるハウジング１０内にその伸長方向に沿って同軸状に一列に配設されているため、ハウジング１０の軸方向の回りの全周方向（３６０度方向）に光が放射される。しかも、各ディスクリート型ＬＥＤランプ１３１が、頂部方向に遮光されているため、その方向に多量に放射される光のほとんどが全周方向（３６０度方向）に放射され、全周方向へより多くの光が効率良く放射されることとなる。ハウジング１０の内部が空間となっているため、その部分で減光される可能性は低い。さらに、各ＬＥＤランプ１３１は切り替えにより、互いに異なる３色の光を発光可能である。また、各ＬＥＤランプ１３１から発せられる熱は、そのリード線を介し、さらに、４本の単線ワイヤ線１３２ａ〜１３２ｄを介して熱伝導することにより、振動吸収及び固定部材１３３及びエンドキャップ１３４を伝わって両端部から外部へ効率良く放熱されると共に、ハウジング１０を伝わって外部へ効率良く放熱される。もちろん、その一部は、ハウジング１０の内部の空間を介してハウジング１０に伝わり外部へ放熱される。その結果、ハウジング１０の径が小さい場合にも、十分な放熱が可能となりＬＥＤ照明装置の大幅な温度上昇を防ぐことができる。ハウジング１０、振動吸収及び固定部材１３３及び／又はエンドキャップ１３４に放熱構造を付加的に設けても良いことはもちろんである。
【００６３】
ハウジング１０内に設けられるＬＥＤランプ１３１のワット数及びその個数、さらにＬＥＤランプ１３１のハウジング１０の軸方向における間隔等は、本ＬＥＤ照明装置に要求される配光や照度、さらに、４本の単線ワイヤ線１３２ａ〜１３２ｄやハウジン１０の放熱能力によって定められる。
【００６４】
本実施形態のＬＥＤ照明装置のその他の構成は、第１の実施形態のＬＥＤ照明装置の場合と全く同様である。従って、図１３及び図１４では、図１と同様の構成要素に対して同一の参照符号を用いている。なお、ＬＥＤランプとして、２色のみを発光させる場合、又は２色のＬＥＤ素子のみを内蔵したものを用いる場合は、３本の単線ワイヤ線が用いられる。
【００６５】
第７の実施形態におけるその他の構成及び作用効果は、第１の実施形態の場合とほぼ同様である。
【００６６】
図１５は本発明のＬＥＤ照明装置の第８の実施形態の構造を概略的に表わしており、図１６は第８の実施形態における配線コードの外部への引き出し構造を表わしている。
【００６７】
図１５から明らかのように、本実施形態では、４本の単線ワイヤ線１３２ａ〜１３２ｄに半田付け接続された配線コード１５５がハウジング１５０の一方の端部に設けられた振動吸収及び固定部材１５３を密閉的に通り、ハウジング１５０のその端部の周方向に設けられたコード穴に嵌装されたゴム又は樹脂接着剤によるブシュ１５６を通って外部へ引き出されている。従って、配線コード１５５はエンドキャップ１５４を通らず側面から外部へ引き出されている。なお、図１５においては、配線コード１５５が４本の単線ワイヤ線１３２ａ〜１３２ｄを含む平面内方向（図にて下方向）に引き出されているが、４本の単線ワイヤ線１３２ａ〜１３２ｄを含む平面と交差する方向（図にて紙面から離れる方向又は奥へ行く方向）に引き出すように構成しても良い。
【００６８】
配線コード１５５の引き出し方向を除いてこの第８の実施形態のＬＥＤ照明装置の構成は、第７の実施形態のＬＥＤ照明装置の場合と全く同様である。従って、図１５及び図１６では、図１３及び図１４と同様の構成要素に対して同一の参照符号を用いている。なお、ＬＥＤランプとして、２色のみを発光させる場合、又は２色のＬＥＤ素子のみを内蔵したものを用いる場合は、３本の単線ワイヤ線が用いられる。
【００６９】
配線コード１５５をハウジング１５０の側面から引き出すことにより、本実施形態のＬＥＤ照明装置は、図６に示す第２の実施形態のように、円形形状やその他の閉鎖ループ形状とすることが可能である。
【００７０】
第８の実施形態におけるその他の構成及び作用効果は、第７の実施形態の場合とほぼ同様である。
【００７１】
図１７は本発明のＬＥＤ照明装置の第９の実施形態の構造を概略的に表わしており、（Ａ）は平面図、（Ｂ）は側面図をそれぞれ示している。
【００７２】
図１７に示すように、本実施形態におけるＬＥＤ照明装置は、光透過性又は光拡散性の細長いハウジング１７０と、このハウジング１７０内の空間に設けられた複数のディスクリート型ＬＥＤランプ１７１と、ハウジング１７０内に設けられており、これら複数のディスクリート型ＬＥＤランプ１７１が互いに並列に電気的及び機械的に接続された２本の単線ワイヤ線１７２とを備えている。
【００７３】
ハウジング１７０は、本実施形態においては、光を透過又は拡散する透明又は半透明の樹脂、大理石、人工大理石又はその他の石等からなり、内部に空洞を構成する基体１７０ａ及び蓋体１７０ｂから構成されている。基体１７０ａに蓋体１７０ｂを嵌合して固着することにより、ハウジング１７０が構成される。これら基体１７０ａ及び蓋体１７０ｂは、着色されていても無着色であっても良い。なお、図１７においては、ハウジング１７０は、連続する平坦な内面及び外面を有するように示されているが、内面及び／又は外面が、凹形状、凸形状、凹凸形状、波型形状、プリズム形状、又はその他の種々の立体形状を有していても良い。また、ハウジング１７０の外形全体が、矩形形状の他、楕円形状又は筒型形状であっても良い。
【００７４】
本実施形態における各ディスクリート型ＬＥＤランプ１７１は、第１の実施形態の場合と同様に、砲弾型（足付型）ＬＥＤランプの頂部を部分的に除去（カット）し、その頂部の残った部分に例えば白色塗料を塗布して形成された遮光膜１７１ａを有している。これにより、頂部方向が遮光されている。また、ＬＥＤランプ１７１の基部から、２本のリード線１７１ｂが伸長している。砲弾型ＬＥＤランプの頂部を部分的に除去することなく、そのままの形状としてその頂部に遮光膜を形成しても良いことはもちろんである。なお、砲弾型ＬＥＤランプの頂部を部分的に除去（カット）するのみで、遮光膜を形成しない場合にも、多少の遮光効果を得ることが可能である。
【００７５】
各単線ワイヤ線１７２は、弾性を有する炭素鋼線、いわゆるピアノ線の表面に錫メッキを施した単線のワイヤであり、弾性を有し、許容応力が高く疲労に強い特性を有すると共に良好な導電性を有している。図１７に示すように、互いに平行に配置した２本の単線ワイヤ線１７２にＬＥＤランプ１７１のＬ字状に曲げた２本のリード線１７１ｂをそれぞれ半田付けし、これによって、複数のＬＥＤランプ１７１が、２本の単線ワイヤ線１７２間に、互いに並列に電気的及び機械的に接続されている。本実施形態においては、これらＬＥＤランプ１７１は、それらの頂部がハウジング１７０の伸長方向の同一方向（図１７において左方向）に向くように一列配置されている。なお、ＬＥＤランプ１７１の２本のリード線１７１ｂは、リード線１７１ｂ間並びにリード線１７１ｂ及び単線ワイヤ線１７２間における短絡防止のために、絶縁チューブ１７１ｃで被覆しておくことが望ましい。
【００７６】
図１７からも分かるように、ワイヤ間に複数のＬＥＤランプ１７１を並列に接続し支持している２本の単線ワイヤ線１７２は、ハウジング１７０内にそのハウジングの伸長方向に沿って伸長し、ハウジング１７０の内面に当接して支持されるように配置されている。これにより、複数のＬＥＤランプ１７１は、ハウジング１７０の伸長方向に沿って互いに同軸状に配設される。
【００７７】
２本の単線ワイヤ線１７２には配線コード１７５がそれぞれ半田付けで接続されており、この配線コード１７５はハウジング１７０の一方の端部に形成された引き出し穴１７８を通り、外部へ引き出されている。図示されていないが、この引き出し穴１７８に密閉用のブシュ等を嵌装しても良い。
【００７８】
本実施形態のＬＥＤ照明装置によれば、複数のディスクリート型ＬＥＤランプ１７１が、光を透過又は拡散する樹脂、大理石、人工大理石又はその他の石等による細長いハウジング１７０内にその伸長方向に沿って互いに同軸状に一列に配設されているため、ハウジング１７０の伸長方向の回りの全周方向（３６０度方向）に光が放射される。しかも、各ディスクリート型ＬＥＤランプ１７１が、頂部方向に遮光されているため、その方向に多量に放射される光のほとんどが全周方向（３６０度方向）に放射され、全周方向へより多くの光が効率良く放射されることとなる。ハウジング１７０の内部が空間となっているため、その部分で減光される可能性は低い。従って、本実施形態のＬＥＤ照明装置は、「光るタイル」のようにふるまうことができる。各ＬＥＤランプ１７１から発せられる熱は、そのリード線１７１ｂを介し、さらに、２本の単線ワイヤ線１７２を介して熱伝導することにより、外部へ効率良く放熱されると共に、ハウジング１７０を伝わって外部へ効率良く放熱される。もちろん、その一部は、ハウジング１７０の内部の空間を介してハウジング１７０に直接的に伝わり外部へ放熱される。その結果、ハウジング１７０の幅が小さい場合にも、十分な放熱が可能となりＬＥＤ照明装置の大幅な温度上昇を防ぐことができる。ハウジング１７０に放熱構造を付加的に設けても良いことはもちろんである。
【００７９】
ハウジング１７０内に設けられるＬＥＤランプ１７１のワット数及びその個数、さらにＬＥＤランプ１７１のハウジング１７０の伸長方向における間隔等は、本ＬＥＤ照明装置に要求される配光や照度、さらに、２本の単線ワイヤ線１７２やハウジング１７０の放熱能力によって定められる。
【００８０】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００８１】
１０、５０  ハウジング
１１、８１、９１、１１１、１３１、１７１  ディスクリート型ＬＥＤランプ
１１ａ、９１ａ、９１ｄ、１７１ａ  遮光膜
１１ｂ、９１ｂ、１１１ｂ、１７１ｂ  リード線
１１ｃ、７７、１１１ｃ、１７１ｃ  絶縁チューブ
１２、１３２ａ、１３２ｂ、１３２ｃ、１３２ｄ、１７２  単線ワイヤ線
１３、５３  振動吸収及び固定部材
１４、５４  エンドキャップ
１５、５５、１３５、１７５  配線コード
５６  ブシュ
１７１ａ  基体
１７１ｂ  蓋体
１７８  引き出し穴
【図１】
2012018767.tif 000003
【図２】
2012018767.tif 000004
【図３】
2012018767.tif 000005
【図４】
2012018767.tif 000006
【図５】
2012018767.tif 000007
【図６】
2012018767.tif 000008
【図７】
2012018767.tif 000009
【図８】
2012018767.tif 000010
【図９】
2012018767.tif 000011
【図１０】
2012018767.tif 000012
【図１１】
2012018767.tif 000013
【図１２】
2012018767.tif 000014
【図１３】
2012018767.tif 000015
【図１４】
2012018767.tif 000016
【図１５】
2012018767.tif 000017
【図１６】
2012018767.tif 000018
【図１７】
2012018767.tif 000019